(57)【要約】  【課題】ボトルを任意の空いた保管区画に保管していても、その保管区画を顧客識別情報の入力操作に応答して発光により指示し得る管理作業が簡単で、かつ安価に構成可能なボトル位置指示装置を提供する。  【解決手段】  各保管区画に、ボトルに取付けられたコード担持体の顧客識別コードを読取るコードリーダ２０を設けると共に、入力操作により入力された顧客の識別情報に応答して、顧客に割当てられた顧客識別コードを送出する入力手段３１と、各保管区画のコードリーダ２０が読取った顧客識別コードを検索することにより、送出された顧客識別コードに一致する顧客識別コードを読取ったコードリーダ２０を特定するコード検索手段３５と、特定されたコードリーダ２０が所属する駆動さるべき発光体を選択する発光体選択手段３７とを備える。  【選択図】図１
2006206215.tif 000002
【特許請求の範囲】
【請求項１】
酒場において棚の複数の保管区画に保管されているボトル群中の任意のボトルを、その保管区画に所属の発光体の発光により指示するためのボトル位置指示装置において、
各保管区画に、ボトルに取付けられたコード担持体の顧客識別コードを読取るコードリーダを設けると共に、入力操作により入力された顧客の識別情報に応答して、顧客に割当てられた前記顧客識別コードを送出する入力手段と、前記各保管区画の前記コードリーダが読取った前記顧客識別コードを検索することにより、送出された前記顧客識別コードに一致する前記顧客識別コードを読取った前記コードリーダを特定するコード検索手段と、特定された前記コードリーダが所属する駆動さるべき発光体を選択する発光体選択手段と、を備えたことを特徴とするボトル位置指示装置。
【請求項２】
コード担持体が、コードパターンを形成する磁石を担持すると共に、前記コードパターンに対応して配列された磁気センサを備えたコードリーダが、ボトルの保管区画での保管状態で顧客識別コードを読取るように、棚板に設けられたことを特徴とする請求項１記載のボトル位置指示装置。
【請求項３】
棚板に設けられたコードリーダのコード読取り位置に対してコード担持体のコード位置をボトルの保管区画での保管状態で整合させるように、前記ボトルが、前記棚板に形成された位置決め用の係合部に係合する位置決め部を備えたことを特徴とする請求項１又は請求項２記載のボトル位置指示装置。
【請求項４】
コードリーダが、そのコード読取り位置に対してコード担持体のコード位置を整合させるように、保管区画の所定の保管位置にボトルが保管されたのを検知する保管位置センサを備え、
コード検索手段が、前記保管位置センサの検知信号に応答して、内蔵の顧客コード格納部に、前記保管位置センサに所属の前記コードリーダのアドレス及び読取った顧客識別コードを格納すると共に、発光体選択手段により前記保管位置センサが所属する発光体を選択して所定時間駆動させ、
前記コード検索手段は、さらに入力操作に応答して前記顧客コード格納部に対して一致する前記顧客識別コードを検索することを特徴とする請求項１又は請求項２記載のボトル位置指示装置。
【請求項５】
保管区画が、上下左右にコーナ部を有する四辺形の棚板により保管ボックスとして形成されると共に、位置決め部が、係合部としての下側の前記コーナ部に係合することを特徴とする請求項３記載のボトル位置指示装置。
【請求項６】
保管区画が、ボトル周面を支持し、かつ係合部として機能する両側一対のレールを棚板としての略水平の底板に順に横方向へ配列することにより形成されると共に、ボトル底面に設けられて円状のコードパターンを形成するコード担持体に、前記ボトル周面側から側方へ突出して前記レール間に係合するように、位置決め部が一体に形成されたことを特徴とする請求項３記載のボトル位置指示装置。
【請求項７】
保管区画が、ボトル周面を支持し、かつ係合部として機能する両側一対のレールを棚板としての略水平の底板に順に横方向へ配列することにより形成されると共に、前記ボトル周面に設けられてライン状のコードパターンを形成する縦長のコード担持体が、位置決め部として前記レール間に係合することを特徴とする請求項３記載のボトル位置指示装置。
【請求項８】
保管区画が、棚板としての略水平の底板、背面板及び仕切板のいずれかに、縦長状の係合部を順に横方向へ配列することにより形成されると共に、ボトル周面に設けられてライン状のコードパターンを形成する縦長状のコード担持体が、位置決め部として前記係合部に係合することを特徴とする請求項３記載のボトル位置指示装置。
【請求項９】
保管区画が、コードリーダを棚板として略水平の底板の背後に位置する背面板に順に横方向へ配列することにより形成され、
ボトル底面に設けられたコード担持体に対面する前記コードリーダの対面領域に、前記コードリーダのコード読取り位置に対してコード担持体のコード位置を整合させるように、位置決め用の凸状の係合部を形成すると共に、この係合部が係合する凹状の位置決め部を前記コード担持体に形成したことを特徴とする請求項１又は請求項２のボトル位置指示装置。
【請求項１０】
コード担持体が、ボトル底部を着脱自在に装着させる周面部付きコースタとして形成されたことを特徴とする請求項１乃至請求項３のいずれか記載のボトル位置指示装置。
【請求項１１】
保管区画が、棚板としての底板及び仕切板により方形状の保管ボックスとして形成されると共に、コード担持体が、ボトル底部を挿入させる周面部付きコースタとして形成され、
前記コード担持体の少なくとも横幅が、前記底板又は前記背面板に設けられたコードリーダのコード読取り位置に対して前記コード担持体のコード位置を前記ボトルの前記保管区画での保管状態で整合させるように、前記保管ボックスの横幅に略相当することを特徴とする請求項１記載又は請求項２のボトル位置指示装置。
【請求項１２】
保管区画が、棚板としての底板に順に横方向へ仕切板を配列することにより形成されると共に、コード担持体が、ボトル底部を挿入させる周面部付きコースタとして形成され、
前記コード担持体の底面が、前記仕切板間に複数個の保管区画を形成するように、前記底板を奥行方向へ前記複数個に略等分に分割した形状に形成されると共に、コードリーダが、そのコード読取り位置に対して前記コード担持体のコード位置を前記ボトルの前記保管区画での保管状態で整合させるように、前記底板に奥行方向へ前記複数個に対応して略等分に分割した位置に設けられることを特徴とする請求項１又は請求項２の記載のボトル位置指示装置。
【発明の詳細な説明】
【技術分野】
【０００１】
本発明は、酒場において棚の複数の保管区画に保管されているボトル群中の任意のボトルを、その保管区画に所属の発光体の発光により指示するためのボトル位置指示装置に関するものである。
【背景技術】
【０００２】
酒場において、顧客のキープされるボトルは名前等を記入したタグをつけて保管するのが通常であり、個数が増えると、顧客の来店時に取出しに時間を要する問題がある。そこで、特許文献１により、顧客のＩＤコードを記憶したＩＣタグをボトルにつけておき、来店時に顧客のＩＤを入力したリーダライタでボトル群を走査して、該当するＩＣタグに内蔵のＬＥＤを発光させるボトル探知システムが開示されている。また、特許文献２によれば、予め顧客のＩＤカードを用意し、その読取りにより個々の顧客に割当ては保管場所を発光により指示するボトル特定方法が開示されている。併せて、ＩＤカードによりボトルの期限切れ、残量、来店日時等の顧客別の管理を容易にしようとしている。
【特許文献１】特開平１１−２０５２０２号公報
【特許文献１】特開２００４−３４５８１５号公報
【発明の開示】
【発明が解決しようとする課題】
【０００３】
しかしながら、特許文献１のボトル探知システムの場合、ボトル数が増えると、その走査に手間取り、また顧客ごとにＩＣタグを製作する必要あり、コスト的にも問題が残される。また、特許文献２のボトル特定方法によれば、顧客ごとにＩＤカードを用意する必要があり、また顧客ごとに棚の保管位置を特定する必要もあり、その保管の管理作業が面倒であり、コスト的にも問題が残される。
【０００４】
本発明は、このような点に鑑みて、ボトルを任意の空いた保管区画に保管していても、その保管区画を顧客識別情報の入力操作に応答して発光により指示し得る管理作業が簡単で、かつ安価に構成可能なボトル位置指示装置を提供することを目的とする。
【課題を解決するための手段】
【０００５】
本発明は、この目的を達成するために、請求項１により、酒場において棚に保管されているボトルの複数個所の保管区画に発光体をそれぞれ設けることにより、顧客のボトルを発光により指示するためのボトル位置指示装置において、各保管区画に、ボトルに取付けられたコード担持体の顧客識別コードを読取るコードリーダを設けると共に、入力操作により入力された顧客の識別情報に応答して、顧客に割当てられた顧客識別コードを送出する入力手段と、各保管区画のコードリーダが読取った顧客識別コードを検索することにより、送出された顧客識別コードに一致する顧客識別コードを読取ったコードリーダを特定するコード検索手段と、特定されたコードリーダが所属する駆動さるべき発光体を選択する発光体選択手段と、を備えたことを特徴とする。
【０００６】
顧客のボトルは、割当てた顧客識別コードを担持するコード担持体を取付けられて、空き状況に応じて任意の保管区画に保管される。各保管区画に保管されたボトルの顧客識別コードは、それぞれ所属のコードリーダにより読取られる。有線式或はリモコン式に構成された入力手段により、名前、愛称、通称、予め割当てた登録番号等の顧客の識別情報を入力すると、対応の顧客識別コードが送出される。コード検索手段は、その顧客識別コードに一致する顧客識別コードを読取ったコードリーダを検索する。発光体選択手段は、特定されたコードリーダが所属する保管区画の発光体を選択して、駆動部により駆動させる。
【０００７】
コード担持体の汚れの影響を回避するには、請求項２により、コード担持体が、コードパターンを形成する磁石を担持すると共に、コードパターンに対応して配列された磁気センサを備えたコードリーダが、ボトルの保管区画での保管状態で顧客識別コードを読取るように、棚板に設けられる。
【０００８】
保管中、ボトルを常時位置決めしておく必要を無くすには、請求項４により、コードリーダが、そのコード読取り位置に対してコード担持体のコード位置を整合させるように、保管区画の所定の保管位置にボトルが保管されたのを検知する保管位置センサを備え、コード検索手段が、保管位置センサの検知信号に応答して、内蔵の顧客コード格納部に、保管位置センサに所属のコードリーダのアドレス及び読取った顧客識別コードを格納すると共に、発光体選択手段により保管位置センサが所属する発光体を選択して所定時間駆動させ、コード検索手段は、さらに入力操作に応答して顧客コード格納部に対して一致する顧客識別コードを検索する。
【０００９】
コードリーダのコード読取り位置に対してコード担持体のコード位置を整合させるには、請求項３により、棚板に設けられたコードリーダのコード読取り位置に対してコード担持体のコード位置をボトルの保管区画での保管状態で整合させるように、ボトルが、棚板に形成された位置決め用の係合部に係合する位置決め部を備える。その位置決め用の係合部の形態としては、請求項５により、保管区画が、上下左右にコーナ部を有する四辺形の棚板により保管ボックスとして形成されると共に、位置決め部が、係合部としての下側のコーナ部に係合する。請求項６により、保管区画が、ボトル周面を支持し、かつ係合部として機能する両側一対のレールを棚板としての略水平の底板に順に横方向へ配列することにより形成されると共に、ボトル底面に設けられて円状のコードパターンを形成するコード担持体に、ボトル周面側から側方へ突出してレール間に係合するように、位置決め部が一体に形成される。請求項７により、保管区画が、ボトル周面を支持し、かつ係合部として機能する両側一対のレールを棚板としての略水平の底板に順に横方向へ配列することにより形成されると共に、ボトル周面に設けられてライン状のコードパターンを形成する縦長のコード担持体が、位置決め部としてレール間に係合する。請求項８により、保管区画が、棚板としての略水平の底板、背面板及び仕切板のいずれかに、縦長状の係合部を順に横方向へ配列することにより形成されると共に、ボトル周面に設けられてライン状のコードパターンを形成する縦長状のコード担持体が、位置決め部として係合部に係合する。
【００１０】
棚板に位置決め用係合部を形成することなく、コード位置を確実に整合させるには、請求項９により、保管区画が、コードリーダを棚板としての背面板に順に横方向へ配列することにより形成され、ボトル底面に設けられたコード担持体に対面するコードリーダの対面領域に、コードリーダのコード読取り位置に対してコード担持体のコード位置を整合させるように、位置決め用の凸状の係合部を形成すると共に、この係合部が係合する凹状の位置決め部をコード担持体に形成する。ボトルに対してコード担持体の着脱を容易にするには、請求項１０により、コード担持体が、ボトル底部を着脱自在に嵌合させるコースタとして形成される。
【００１１】
棚の保管区画とコード担持体との形状を相互に対応させる構成としては、請求項１１により、保管区画が、棚板としての底板及び仕切板により方形状の保管ボックスとして形成されると共に、コード担持体が、ボトル底部を挿入させる周面部付きコースタとして形成され、コード担持体の少なくとも横幅が、底板又は背面板に設けられたコードリーダのコード読取り位置に対してコード担持体のコード位置をボトルの保管区画での保管状態で整合させるように、保管ボックスの横幅に略相当するか、或は請求項１２により、保管区画が、棚板としての底板に順に横方向へ仕切板を配列することにより形成されると共に、コード担持体が、ボトル底部を挿入させる周面部付きコースタとして形成され、コード担持体の底面が、仕切板間に複数個の保管区画を形成するように、底板を奥行方向へ複数個に略等分に分割した形状に形成されると共に、コードリーダが、コード読取り位置に対してコード担持体のコード位置をボトルの保管区画での保管状態で整合させるように、底板に奥行方向へ複数個に対応して略等分に分割した位置に設けられる。
【発明の効果】
【００１２】
請求項１の発明によれば、ボトルを棚の任意の保管区画にキープしておいても、顧客の識別情報の入力に応答して、その保管区画を発光により指示可能になる。保管時にＩＣカード或はＩＣタグを用意することなく、ボトルにコード担持体を取付けるだけで済む。その際、請求項２の発明によれば、コードパターンを磁石で形成することにより、コード担持体の表面の汚れに起因する読取り不良を確実に回避でき、安価の構成で読取り可能になる。また、表面をネームプレートとして利用したり、装飾のために自在に着色可能となる。請求項４の発明によれば、ボトルにその周面から突出する位置決め部を設けたり、棚板に特殊な形状部分を設けなくても、保管時にボトル位置を手動操作で位置決めして発光で顧客識別コードの読取りを確認するだけで、それ以後の保管位置の変動による読取りへの影響を回避できる。
【００１３】
請求項３の発明によれば、コードリーダに対してコード担持体のコードの桁位置を容易に整合させることができ、保管時に作業が簡単になり、読取りを確実に行わせることができる。その際、請求項５の発明によれば、倒して保管されたボトルの回転位置が確保され、棚正面の面積を節約できる。また、ボトル底面の十分広い範囲にコード素子間の間隔を拡げてコードパターンを円形に形成することができ、高信頼度で読取ることを可能にする。請求項６の発明によれば、同様に倒して保管でき、必要により保管区画間の仕切板も廃止できる。請求項７の発明によれば、同様に倒して保管できると共に、コード素子を磁石にすると、表面をネームプレートとしても利用できる。また、必要により仕切板も廃止できる。請求項８の発明によれば、背面板又は仕切板に位置決め用係合部を形成すると、ボトルを立てて保管できる。底板又は背面板の場合、必要により仕切板も廃止できる。
【００１４】
請求項９の発明によれば、コードリーダに位置決め用の凸状係合部を形成することにより、担持体に突出部分を形成しないで済み、棚板の係合部も不要になる。請求項１０の発明によれば、ボトルに対する保管時のコード担持体の取付け、又はキープ不要になった時点での取外し作業が極めて容易となり、また取外し作業時のコード担持体の損傷の心配も無くなる。
【００１５】
請求項１１の発明によれば、コード担持体及び保管区画に特別に位置決め部材を設けなくても自ずと位置決めが行われる。請求項１２の発明によれば、コード担持体及び保管区画に特別に位置決め部材を設ける必要が無く、また奥行方向に複数個の保管区画を設けても簡単に上方へ取出すことができる。
【発明を実施するための最良の形態】
【００１６】
図１乃至図５を基に本発明の実施の形態によるボトル位置指示装置を説明する。ボトルをキープする棚９は  図２及び図３に示すように、上下左右にコーナ部が位置する正方形の棚板１により構成された保管ボックス９ａを５段に備えると共に、それぞれの上側コーナ部（最上段は天井棚）に発光体としてのＬＥＤ１７が取付けられ、背面板の開口部２２にはコードリーダ２０が取付けられ、側板に装置本体３０が取付けられている。
【００１７】
一方、図４Ａに示すように、キープされるボトル５の底面には、円状のコードパターンを形成するように等間隔で最大８個の磁石１３（図５Ｂ参照）が埋込まれ、かつボトル底面に対応したディスク状のコード板１０が、コード担持体として貼着、好ましくは粘着されると共に、棚９の下側のコーナ部である位置決め用の係合部２に係合するように、対応形状の位置決め部１１がボトル周面側から側方へ向かう突起状に一体に形成されて同様に粘着される。図４Ｂは、角形のボトル５ａの同様な方形状のコード板１５を示すもので、位置決め部としてのボトルコーナ部１５ａの目印になる１個所のコーナ部１５ｂ以外の領域は、僅かに内寄りに形成して目視できないように隠されている。
【００１８】
さらに、ボトル５ｂ，５ｃ等の他の形状のボトルに対して、それぞれボトルの中心に対してコードパターンを偏心させる等により、保管状態でのコード位置を変動させないことを前提に、変形されたコード板が粘着されている。その際、位置決め部の基端部の形状はボトル形状に応じて多少変形されるが、両側の棚板１に接面する共通する傾斜面は備える。
【００１９】
コードリーダ２０は、図５Ｃに示すように、開口部２２に嵌入されてコード板１０、１５に近接状態で対面し得る対面領域２１ｄに、円状のコードパターンの磁石配置に対応して配列されたホール素子による磁気センサ２１を備えている。この対面状態で、位置決め部１１又はボトルコーナ部１５ａにより、円状のコードパターンの回転位置が規制され、したがってコードリーダ２０の磁気センサ２１によるコード読取り位置に対してコード板１０、１５のコード位置、即ち桁位置が整合させられる。これにより、８個の磁気センサ２１が、対面する担持体領域の磁石１３の有無をそれぞれ検知して、その検知結果に応じて８ビットの顧客識別コードが読取られ、最大２５５個の保管ボックス９ａが管理可能になる。
【００２０】
図３に示すように、装置本体３０のケース表面には、テンキー、ＣＬＲキー、ＥＮＴキーを含むキー部３１ａ及び数値表示器３１ｂが設けられると共に、そのケース内部に回路装置が収納され、コードリーダ２０用のリード線群２０ａ、ＬＥＤ１７のリード線群１７ａが導出されている。
【００２１】
この回路装置は、マイコンのメモリ、ＣＰＵ等を所定のプログラムに従い作動させることにより構成され、図１に示すように、顧客の識別情報例えば登録番号の入力に応答して、その登録番号について顧客のボトルに予め割当てられているコード板１０、１５の顧客識別コードを送出する入力手段３１と、保管区画である各保管ボックス９ａのコードリーダ２０が読取った顧客識別コードを順に検索して、入力された顧客識別コードと一致する顧客識別コードを読取ったコードリーダ２０のアドレスを特定するコード検索手段３５とを備えると共に、ＬＥＤ１７を駆動する駆動部３６及び特定されたアドレスに所属のＬＥＤ１７を選択してタイマ３７ａに規定された所定時間例えば数十秒間駆動させる発光体選択手段３７が付属している。
【００２２】
入力手段３１は、キー部３１ａ及び数値表示器３１ｂを備えると共に、入力操作応答部３１ｃを内蔵することにより、その入力操作に応答して、数値表示器３１ｂに顧客識別コードを表示し、ＯＫであればＥＮＴキーの操作に応答して顧客識別コードを送出する。
【００２３】
このように構成されたボトル位置指示装置の動作は次の通りである。ボトルのキープ時には、顧客の登録番号を台帳にリストにしておくか、或は画面で確認できるようにパソコンに入力すると共に、そのボトル底面に登録番号に予め割当てられている顧客識別コードを担持するコード板を粘着する。つまり、各コード板にはそれぞれの登録番号を記載しておくのが好ましい。次いで、ボトルを空いている任意の保管ボックス９ａに保管する。例えばコード板１０が貼着されたボトル５を、図５Ａに示すように、位置決め部１１を係合部２に係合させた状態で最深部にスライドさせ、ボトル周面を両側の棚板１で支持させる。この状態で、コード位置は回転方向をコードリーダ２０の基準のコード読取り位置に対して位置決めされると共に、磁石１３はそれぞれ所属の桁の磁気センサ２１に近接状態で対面している。
【００２４】
ボトル５ａについてもボトルコーナ部１５ａが係合部２に係合して、同様に最深部にスライドさせられて保管される。最下段については、保管ボックス９ａの上側のコーナ部が係合部２として機能する。その外、別の断面形状のボトル５ｂ，５ｃも同様にコード位置を共通にするように位置決めされて保管される。
【００２５】
顧客の来店時には、その登録番号を確認してキー部３１ａで入力操作すると、コードリーダ２０が順に検索され、例えばその所定の検索順番をアドレスとし、入力された顧客識別コードに一致する顧客識別コードを読取っているコードリーダ２０のアドレスが特定される。次いで、このアドレスに所属の保管ボックス９ａのＬＥＤ１７が選択されて、所定時間点灯する。この間に指示されたボトル５〜５ｃを取出すことができる。顧客が帰った後、元の保管ボックスに限らず、任意の空いている保管ボックス９ａにキープすることができる。
【００２６】
尚、この実施の形態において、ボトルの保管位置からのずれを確実に回避するには、棚板１を奥行方向に僅かに下方へ傾斜させたり、或は位置決め部１１の表面及び棚板１の一方に凸部、他方に凹部を形成して、保管位置で凹凸係合させることも考えられる。８ビットとして説明したが、所要の保管ボックス数に応じて、磁石の最大個数は増減し、特に前述の２５５個に対してそれ以上の個数のコード板１０を用意してそれぞれ別の顧客識別コードを与える場合、最大個数は９個以上になる。
【００２７】
図６乃至図８はレール式の位置決め用係合部による実施の形態を示すもので、棚板としての水平の底板４０に、奥行方向へ延在する両側一対のプレート状のレール４１を横方向へ配列して、仕切板無しの保管区画４０ａを順に形成している。ボトル５の底面には、図８に示すように、前述のコード板１０と同様にディスク状のコード板１０ａが貼着され、位置決め部１１に代わりに、レール４１間に係合する対応の断面方形状の一体成形による位置決め部１１ａが、ボトル周面に貼着される。位置決め部１１ａの突出幅は、両側のレール４１でボトル周面を支持させるように、その高さ幅よりも僅かに小さく設定されている。
【００２８】
これにより、図７に示すように、位置決め部１１ａをガイドレール４１に係入させ、その上端でボトル周面を支持させてスライドさせ、最深の保管位置でコードリーダ２０のコード読取り位置に対してコード板１０ａの回転方向が位置決めされて近接状態で対面する。その外、図示のように、種々の形状のボトルに対しても、レール４１に係合する共通形状の位置決め部１１ｂ、１１ｃを備え、かつコードパターンの位置を共通にするコード板が粘着されることにより、空いている任意の保管区画に種々の形状のボトルをキープできる。
【００２９】
尚、底板４０は僅かに下り勾配に形成して、保管位置を前後方向に確保させることもでき、また位置決め部１１ａの突出幅をレール４１よりも高く設定することにより、ボトル周面をレール４１で支持させた状態で、位置決め部１１ａ〜１１ｃを係合させる溝を底板４０に形成して、凹凸係合により保管位置を拘束することもできる。
【００３０】
図９及び図１０はライン状のコードパターンによる実施の形態を示すもので、ボトル５の周面部には、磁石１３を埋込まれた縦長のコード担持体としてのネームプレート４５が貼着されると共に、表面に顧客の名前等を記載させる。対応して、図９Ａに示すように、棚板の背面板４７には、対応形状の開口状の係合部４７ａが位置決め用に形成され、順に横方向へ配列することにより、仕切板無しの保管区画を形成している。係合部４７ａには背後から磁石１３の配列位置に対応してライン状に磁気センサが配列された対面領域２１ｅを備えたコードリーダ２０ａが取付けられている。これにより、ボトル５を立てネームプレート４５を係合部４７ａに係合させた状態で読取りが行われる。
【００３１】
この実施の形態の場合、底板４０の奥行が制限される場合に有利であるが、図９Ｂに示すように、保管区画ごとに棚板としての仕切板４２を横方向へ配列し、それぞれに係合部４７ａを奥行方向に複数個例えば３個形成して、裏側にコードリーダ２０ａをそれぞれ装着すると共に、ＬＥＤ１７を前部に３個順に取付けることも可能である。
【００３２】
さらに、図９Ｃに示すように、底板４０に同様の開口状の係合部４７ａを形成すると共に、その裏側にコードリーダ２０ａを装着することもできる。これにより、ボトル５を倒した状態でネームプレート４５を係合部４７ａに係合させて読取りを行わせる。尚、ネームプレート４５は、肉薄にして係合部４７ａに部分的係合させ、残り領域に突出させられた対面領域２１ｅを嵌入させることも考えられる。また、コード素子が磁石であるために任意に着色可能であり、したがって縦長のコード担持体を、敢えてネームプレートとしてでなく位置決め機能を備える範囲で、種々の装飾体として形成することもできる。
【００３３】
尚、ネームプレート４５は、図６に示す底板４０に配列する両側一対のレール４１間に係合する形状に形成することより、ボトル５を倒した状態で最深位置に保管し、底板４０に設けたコードリーダでライン状のコードパターンを読取るように構成することもできる。また、ネームプレート４５をレール４１に対する位置決め部として、ボトル底面に貼着されるコード板を一体成形し、背面板で読取らせることもできる。
【００３４】
図１１及び図１２は、コースタ式コード担持体による実施の形態を示す。コード担持体５０が、前述のコード板１０に、弾性を呈する材質、例えば合成ゴムにより、断面方形の位置決め部５１が突設された周面部５３をコースタとして一体成形して製作され、ボトル５の底部に着脱自在に装着される。角形のボトル５ａの底部にも、同様に略同一厚みのコード担持体５０ａが着脱自在に装着され、その周面部５３ａに略同一横幅及び同一突出幅の位置決め部５１ａが一体に形成されている。
【００３５】
対応して、仕切板無しの水平の底板４０には、コード担持体５０、５０ａが背面板４７に当接する状態で、位置決め部５１、５１ａを係合させる共通形状の溝状の係合部５５が形成されて、順に横方向へ配列されることにより保管区画が形成される。係合部５５の平面視の形状は位置決め部５１、５１ａよりも僅かに大きめであり、その深さは、これらの位置決め部の突出幅に略相当している。係合部５５に向かう奥行方向の途中位置には、ボトル５、５ａを略水平に支持するように、周面部５３、５３ａの厚みに略相当する高さの枕部５７が突設され、各保管区画に配列される。
【００３６】
これにより、ボトル５、５ａを倒して、途中で枕部５７を乗り越えさせて奥行方向へ押込み、最深の保管位置で位置決め部５１、５１ａを係合部５５に係合させることにより、コード位置が正規の回転位置に位置決めされると共に、前後方向も凹凸係合による拘束状態で位置決めされ、さらにボトル５、５ａの周面は枕部５７で略水平に支持される。したがって、コード担持体５０、５０ａの円形のコードパターンが、背面板４７の開口部２２に嵌入されたコードリーダ２０の磁気センサ２１を備えた対面領域２１ｅに、コード位置を整合させられて近接状態で対面する。
【００３７】
その外、同程度の厚みの周辺部及び同一形状の位置決め部を有するコースタ式コード担持体が、着脱自在にボトル底部に装着されることにより、種々の形状のボトルが任意の保管区画にキープされる。周面部にはコースタとして種々の装飾を施すことができる。
【００３８】
図１３は凸状係合部による実施の形態を示す。ボトル底面に、図５を基に前述したディスク状のコード板１０について、位置決め部１１に代えて、切欠により凹状の位置決め部１１ｃを備えたコード板１０ｃが貼着される。対応して、コードリーダ２０ｃの磁気センサ２１が円形配列される対面領域２１ｅに対応形状の凸状の係合部２１ｆが形成される。これらの凹凸部の形状は回転非対称に形成されている。このようなコードリーダ２０ｃが、背面板に順に横方向へ配列されて保管区画が形成され、その際底板は水平若しくは僅かに下り勾配にする。
【００３９】
これにより、倒したボトル５を任意の保管区画に押込んで、位置決め部１１ｃに係合部２１ｆを係合させた状態で、コード板１０ｃを位置決めして、コード読取り位置に対面させる。その外、コード担持体の位置決め部１１ｃ及びコード位置を共通にすることを前提に、種々の形状のボトルが、任意の保管区画にキープされる。
【００４０】
図１４及び図１５は方形状収納ボックスによる実施の形態を示すもので、棚の保管区画が、側板４３、仕切板４２及び底板４０で正方形状に開口した複数段の保管ボックス６９として形成されている。コード担持体６０は、ボトル５の底部を細隙を置いて挿入させる周面部６１付きコースタとして形成されている。その受口は、ボトル５の断面よりも僅かに大きめの円形であり、周面部６１の外周は保管ボックス６９の開口に対して細隙を残す対応の正方形である。底面部には、保管ボックス６９への挿入操作を容易にするように、テーパ部６３が形成されると共に、中心部には円形コードパターンを形成する前述の磁石１３が埋込まれている。その外、コード担持体は、周面部の外周形状及びコード位置を共通にすることを前提に、種々の形状のボトルに対応して受口を方形にしたり、これらの大きさを複数段階に変えることによる複数種類用意される。
【００４１】
これにより、ボトル５をコード担持体６０にセットして倒し、コード担持体６０をその４通りの回転位置のうちコード整合位置を指示するマークに従って回転位置を決めて、任意の保管ボックス６９に挿入する。さらに、ボトル５を押込んでコード担持体６０を背面板のコードリーダに当接させると、対応形状により、回転位置を拘束され、またボトル形状が受口に近接状態で包囲されることにより前後位置も拘束されて、コード読取り位置に近接状態で対面する。他種のボトル用のコースタについても同様である。尚、底板４０には、僅かに下り勾配を与えることも考えられる。周面部６１にコードパターンを形成して、底板４０にコードリーダを設けることもできる。
【００４２】
この実施の形態において、図１６に示すように、見栄えを向上させるために、前述の保管ボックス６９のコーナ部に発光体としてアクリル棒６５（同図Ａ）を設け、その背後に配置したＬＥＤの発光を透光させることもできる。この場合、コード担持体６０のコーナ部に対応形状の切欠部６６（同図Ｂ）を形成すると共に、回転位置を指示するマークを不要として、アクリル棒６５に沿って切欠部６６を係合させた状態でガイドさせることができる。
【００４３】
図１７及び図１８は天板無しの棚による実施の形態を示すもので、保管区画が、底板４０に順に横方向へ仕切板４２を配列することにより形成されると共に、コード担持体７０が、ボトル５の底部を細隙を置いて挿入させる周面部７１付きコースタとして形成され、その受口７２は、ボトル５の断面よりも僅かに大きめの円形である。底板４０の奥行寸法は仕切板４２間の開口幅の３倍に設定されると共に、コード担持体７０は、その横幅及び奥行幅が開口幅に相当することにより、底板４０を奥行方向へ３等分に分割する正方形に形成されている。その外、コード担持体は、周面部の横幅及び奥行幅並びにコード位置を共通にすることを前提に、種々の形状のボトルに対応して受口を方形にしたり、これらの大きさを複数段階に変えることにより複数種類用意されている。
【００４４】
コード担持体７０の底面は例えば円形コードパターンのコード板として形成されると共に、底板４０の開口部４０ｄには、各仕切板４２間の３個の保管区画でコード位置をコード読取り位置にそれぞれ整合させるように、３個のコードリーダ２０ｄが奥行方向の３等分位置に装着されている。側板４３又は仕切板４２には、発光体としてＬＥＤ付アクリル棒６７が埋め込まれて立設されることにより、その配列順に従って３個所の保管区画のいずれかに所属のボトルを指示することができる。コード担持体の底板を奥行方向へ等分する形状は、仕切板間のスペース形状によっては正方形以外も考えられ、また正方形のコーナ部を切落として意匠を考慮した非正方形にすることもできる。
【００４５】
これにより、ボトルをコード担持体７０にセットし、コード整合位置を指示するマーク、例えば正面を指示するマークに従って各仕切板４２間に順に押込むと、自動的に読取り位置に対面する。３個でなくても、順に押込むことにより位置決めされ、３個保管された状態で奥のコード担持体７０を抜いても残りの位置決めに影響はしない。
【００４６】
図１９及び図２０は顧客識別コードの読取り記憶式による実施の形態を示す。ボトル５の底面には、前述のコード板１０に対応して、円状のコードパターンを形成する磁石１３と、コード読取り位置にコード位置を整合させるための保管位置センサを構成する磁石１３ａとが埋め込まれたコード板１０ｂが、磁石１３ａをボトル５のラベルの中心位置に対して略反対位置を占めるように貼着されている。対応して、コードリーダ２０ｂは、コードリーダ２０ａと同一配列パターンの磁気センサ２１に加えて、磁石１３ａを検知する磁気センサ２１ａを備えている。一方、回路装置は基本的には図１と共通であるが、コード検索手段３５ａは、コードリーダ２０ｂを特定するアドレス及びその読取った顧客識別コードを格納する顧客コード格納部３５ｂを内蔵している。
【００４７】
これにより、ラベルの中心位置又は磁石１３ａの位置を確認しつつボトル５をコード位置が整合する所定の保管位置に保管させると、磁気センサ２１ａの検知信号に応答して、コード検索手段３５ａは、この検知信号を出力する保管区画に所属のコードリーダ２０ｂの読取った顧客識別コードをそのアドレスと共に顧客識別コード格納部３５ｂに格納すると共に、発光体選択手段３７を介してそのアドレスに所属のＬＥＤ１７を所定時間駆動させて読取りを確認させる。顧客の来店時に、入力操作に応答して、顧客コード格納部３５ｂの読出し走査により一致する顧客識別コードを検索し、特定されたアドレスのＬＥＤ１７を所定時間駆動させて、保管区画を指示する。これにより、ボトル５及び棚板に位置決め部分を設ける必要が無くなり、保管時に読取りを確認するだけで済む。その外、貼着されるコード担持体の磁石１３ａ及びコードパターンの位置を共通にすることを前提に、種々の形状のボトルが任意の保管区画にキープされる。
【００４８】
尚、磁気センサ２１ａの検知信号に応答して、顧客識別コードを読取ったコードリーダ２０ｂからそのアドレスを送出して、コード検索手段３５ａに格納しておくようにも構成できる。保管位置センサとしては、コード板１０ｂの例えば２個所に凹部を形成し、コードリーダ２０ｂの対面領域に対応の凸部を形成して凹凸係合させ、その凸部に感圧センサを設けることにより構成することも考えられる。これにより、コード読取り位置に対してコード位置が整合した状態で、ボトルを押圧して、その押圧力を検知させて読取りを確認させることも考えられる。また、この凹凸係合は、図１３を基に前述した位置決め用の１個の凹凸係合部として形成することもできる。
【００４９】
入力手段としては、文字入力用のキー部を含めることにより、登録番号に代えて、顧客の名前、愛称、通称等を入力することにより、その顧客識別コードを送出するようにもできる。この種の入力方式は、例えば携帯電話、その他で広く採用されている。さらに、この入力手段をリモコンとして構成して、顧客識別コードを送信し、コード検索手段に受信部を設けることもできる。コードリーダとしては、コストアップを甘受するならば光読取りのバーコード式、その他の方式にすることも可能である。
【図面の簡単な説明】
【００５０】
【図１】本発明の実施の形態によるボトル位置指示装置の回路構成を示す図である。
【図２】同ボトル位置指示装置の棚の部分正面図である。
【図３】同棚の側面の斜視図である。
【図４】同棚の保管ボックスにキープされるコード板付のボトルを例示する斜視図である。
【図５】同棚の顧客識別コードの読取り部分を説明する図であり、同図Ａは保管ボックスの断面図、同図Ｂはコード板の背面図、同図Ｃはコードリーダの対面領域の正面図である。
【図６】レール状係合部による実施の形態の棚の部分正面図である。
【図７】図６による棚の保管区画の断面図である。
【図８】図６による棚にキープされるコード板付のボトルを例示する斜視図である。
【図９】縦長状コード担持体による実施形態の棚を説明するもので、同図Ａは係合部を備えた背面板の正面図、同図Ｂは係合部を備えた仕切板の側面図、同図Ｃは係合部を備えた底板の断面図である。
【図１０】図９による棚にキープされるネームプレート付ボトルを例示する斜視図である。
【図１１】コースタコード担持体による実施形態の棚の断面図である。
【図１２】図１１による棚にキープされるコースタコード担持体が装着されたボトルを例示する斜視図である。
【図１３】位置決め用の凹状係合部による実施の形態のコード板の正面図及びコードリーダの対面領域の正面図である。
【図１４】方形状保管ボックスによる実施の形態の棚の斜視図である。
【図１５】図１４による棚にキープされるコード担持体が装着されたボトルを例示する斜視図である。
【図１６】図１４による棚及びコード担持体の変形例を説明する図である。
【図１７】天板無しの実施の形態による棚の斜視図である。
【図１８】図１７による棚にキープされるコード担持体が装着されたボトルを例示する斜視図である。
【図１９】顧客識別コードの読取り記憶式による実施形態の回路構成を説明するである。
【図２０】図１９によるコード板及びコードリーダの対面領域の正面図である。
【符号の説明】
【００５１】
２，２１ｆ，４７ａ，５５  係合部
５，５ａ，５ｂ，５ｃ  ボトル
９ａ，６９  保管ボックス
１１，１１ａ，１１ｂ，１１ｃ，５１，５１ａ  位置決め部
１０，１０ａ，１０ｂ，１５  コード板
１３，１３ａ  磁石
１７  ＬＥＤ
２０，２０ａ，２０ｂ，２０ｃ，２０ｄ  コードリーダ
２１，２１ａ  磁気センサ
３１  入力手段
４０  底板
４０ａ  保管区画
４１  レール
４２  仕切板
４７  背面板
４５  ネームプレート
５０，５０ａ，６０，７０  コード担持体
６５，６７  アクリル棒
【図１】
2006206215.tif 000003
【図２】
2006206215.tif 000004
【図３】
2006206215.tif 000005
【図４】
2006206215.tif 000006
【図５】
2006206215.tif 000007
【図６】
2006206215.tif 000008
【図７】
2006206215.tif 000009
【図８】
2006206215.tif 000010
【図９】
2006206215.tif 000011
【図１０】
2006206215.tif 000012
【図１１】
2006206215.tif 000013
【図１２】
2006206215.tif 000014
【図１３】
2006206215.tif 000015
【図１４】
2006206215.tif 000016
【図１５】
2006206215.tif 000017
【図１６】
2006206215.tif 000018
【図１７】
2006206215.tif 000019
【図１８】
2006206215.tif 000020
【図１９】
2006206215.tif 000021
【図２０】
2006206215.tif 000022